(57)【要約】【課題】  より製造が簡単でずれ難く全体に強い締め付け力を備える伸縮体を提供する。【解決手段】  中心軸に平行する方向に伸縮性を有する伸縮生地を折り曲げて形成する二重構造の筒状の伸縮体５０は、筒状本体５１と、筒状本体に連続して編成する折り曲げ部５３よりなり、該折り曲げ部５３は筒状本体５１に対して円周方向に捻って折り曲げられ、筒状本体５１の伸縮方向と折り曲げ部５３の伸縮方向が交差している構成を具備する。【選択図】        図４
2006052481.tif 000002
【特許請求の範囲】
【請求項１】
中心軸に平行する方向に伸縮性を有する筒状の伸縮生地を形成する工程と、
前記生地を折り曲げて２重構造の筒状体を形成する工程と、
前記２重構造の筒状体の端部を伸縮性を維持させた状態で固着する工程を有し、
前記折り曲げる工程において、折り曲げる伸縮生地は折り曲げて円周方向に捻る、もしくは円周方向に捻って折り曲げることを特徴とする筒状伸縮体の形成方法。
【請求項２】
中心軸に平行する方向に伸縮性を有する伸縮生地を折り曲げて形成する二重構造の筒状の伸縮体であって、
前記伸縮性を有する生地は、筒状本体と、筒状本体に連続して形成する折り曲げ部よりなり、該折り曲げ部は筒状本体に対して円周方向に捻られた状態で二重構造を形成し、筒状本体の伸縮方向と折り曲げ部の伸縮方向が交差していることを特徴とする筒状伸縮体。
【請求項３】
足首から爪先までを被覆する足部と、足首から少なくともふくらはぎまでを被覆する脚部とを備えるソックスの製造方法において、
脚部は脚部本体と折り曲げ部を連続して編成すると共に、該折り曲げ部を折り曲げて脚部本体との２重構造の脚部を形成する工程と、
前記２重構造の端部を伸縮性を維持させた状態で固着する工程を有し、
前記折り曲げる工程において、折り曲げ部は脚部の円周方向に捻っていることを特徴とするソックスの製造方法。
【請求項４】
足首から爪先までを被覆する足部と、足首から少なくともふくらはぎまでを被覆する脚部とを備えるソックスにおいて、
脚部は脚部本体に連続形成した折り曲げ部を折り曲げた２重構造を有し、
前記２重構造の脚部は、該折り曲げ部が脚部の円周方向に捻られていることを特徴とするソックス。
【請求項５】
前記脚部は脚部本体の伸縮方向と折り曲げ部の伸縮方向が交差していることを特徴とする請求項４記載のソックス。
【発明の詳細な説明】
【技術分野】
【０００１】
本発明は筒状の伸縮体に関し、その形成方法、それを利用したソックスに関し、特に膝丈の靴下であって脹脛への強い締め付け力を有するソックスに関する。
【背景技術】
【０００２】
リストバンド、腹巻などの筒状の伸縮体や、膝下丈のソックスにおいて、体の動きによる着崩れが問題となっていた。特に靴下は歩行時のずれ落ちが大きな問題であって、履き口部の締め付けを強力とすることにより問題を解決したり、下記の特許文献に示すような技術が開示されている。
下記の特許文献１に開示されている靴下は、弾性生地部と中間生地部を円周方向に交互に配置した構成を有し、捻転させて着用することにより径方向に縮んで締め付けるものである。
また、特許文献２には、二重靴下の製造方法が開示されている。さらに、特許文献３には、ゴム編み編成複数コースに対して一本の割合で伸縮糸を設けたくつ下が開示されている。
【特許文献１】実用新案登録第３０９１５７２号公報
【特許文献２】特開平１１―５０３０３号公報
【特許文献３】特開２００１―２６２４０４号公報
【発明の開示】
【発明が解決しようとする課題】
【０００３】
しかし、これら開示されている技術は確実にずれを防止できるものではなかった。
そこで、本発明は、より製造が簡単でずれ難く全体に強い締め付け力を備える伸縮体、例えばソックスを提供するものである。
【課題を解決するための手段】
【０００４】
上記課題を解決するために本発明の筒状伸縮体の形成方法は、中心軸に平行する方向に伸縮性を有する筒状の伸縮生地を形成する工程と、前記生地を折り曲げて２重構造の筒状体を形成する工程と、前記２重構造の筒状体の端部を伸縮性を維持させた状態で固着する工程を有し、前記折り曲げる工程において、折り曲げる伸縮生地は円周方向に捻る構成を具備する。
【０００５】
本発明の中心軸に平行する方向に伸縮性を有する伸縮生地を折り曲げて形成する二重構造の筒状の伸縮体は、筒状本体と、筒状本体に連続して編成・織成する折り曲げ部よりなり、該折り曲げ部は筒状本体に対して円周方向に捻られた状態で二重構造を形成し、筒状本体の伸縮方向と折り曲げ部の伸縮方向が交差している構成を具備する。
【０００６】
本発明のソックスの製造方法は、足首から少なくともふくらはぎまでを被覆する脚部の形成に際し、脚部本体と折り曲げ部を連続して編成すると共に、該折り曲げ部を折り曲げて脚部本体との２重構造の脚部を形成する工程と、前記２重構造の端部を伸縮性を維持させた状態で固着する工程を有し、前記折り曲げる工程において、折り曲げ部は脚部の円周方向に捻ることを特徴とする。
【０００７】
本発明のソックスは、足首から少なくともふくらはぎまでを被覆する脚部が、脚部本体に連続形成した折り曲げ部を折り曲げた２重構造を有し、前記２重構造の脚部は、該折り曲げ部を脚部の円周方向に捻っていることを特徴とする。
【発明の効果】
【０００８】
本発明は、より製造が簡単でずれ難く全体に強い締め付け力を備える筒状の伸縮体、例えばリストバンド、腹巻、バンダナ、サポータ、ソックスなどを提供できる。また、筒状伸縮体全体でサポートするため、装着跡が残らず、良好な着用感となる。
【発明を実施するための最良の形態】
【０００９】
以下、本発明を実施するための最良の形態を、図面を参照して詳細に説明する。
【実施例１】
【００１０】
この実施例はバンダナ、サポータ、リストバンド、腹巻などの筒状伸縮体の例を示す。図１は筒状伸縮体の斜視図、図２は折り曲げた筒状伸縮体の斜視図である。
筒状の伸縮体は筒状本体５１と、筒状本体に連続して形成する折り曲げ部５３とを有している。
筒状本体５１は丸編み機などにより中心軸方向に伸縮性を有するように形成されている。折り曲げ部５３も筒状本体５１に連続して伸縮性をもって円筒形状に形成されている。ここで、筒状本体５１の高さ寸法をＨ１、折り曲げ部の高さ寸法をＨ２とする。寸法Ｈ１と寸法Ｈ２はほぼ同じ寸法とする。編成は平編・ゴム編み・パール編み等のメリヤス編みとしている。使用糸は、例えば、ポリウエレタンとナイロン、綿の混同糸とする。
このように形成する筒状の伸縮体の折り曲げ部５３を筒状本体５１の内側に折り曲げて二重構造の筒状伸縮体５０を形成する。
このとき、折り曲げ部５３は円周方向に捻って折り曲げている。あるいは、折り曲げてから捻ってもよい。
【００１１】
この捻り構造を図３により説明する。
筒状本体５１の編み目ＡＢＣＤ・・・を便宜上編み始めの編み目とし、編み始め部分からＨ１＋Ｈ２までの長さの筒形状に編成し、便宜上の編み終わり部分（端縁５２）の編み目をａｂｃｄ・・・ｅｆ・・・とする。図３においては、説明の関係で筒状体を切り開いて平面形状として示している。ここで、筒状体としたとき、編み目Ａに対して編み目Ｅは９０度、編み目Ｉは１８０度、すなわち筒状としたとき編み目Ａの反対の位置にある編地として説明する。
【００１２】
折り曲げ部５３を折り曲げ線５５より円周方向に捻る。例えば、折り曲げ部５３の編み終わり目ａを編み始めの編み目Ａに対して９０度の位置にある編み目Ｅに合致させて固着する。同様に円周方向に９０度捻って折り曲げることにより、編み終わり点ｂは編み目Ｆに、編み終わりの編み目ｃは編目Ｇにそれぞれ位置する。そして、折り返し部５５から捻って曲げた折り曲げ部５３の編み終わりの編み目を順次編み始めの編み目に重ね、両端縁を伸縮糸を使用して縫着などにより伸縮性を維持させて固定する。
このように折り曲げ部５３を円周方向に９０度折り曲げて捻る、あるいは捻って折り曲げることにより、二重構造の筒状体５０を形成することができる。このとき、折り曲げた折り曲げ部５３の編み生地の伸縮方向と、筒状本体５１の伸縮方向とが捻り分交差する。すなわち、図４に示すように、筒状本体５１の伸縮方向Ｘに対して折り曲げ部５３の伸縮方向Ｙは交差する。
【００１３】
このように筒状伸縮体５０は１枚の筒状の伸縮生地を捻って折り曲げて折り重ねたことにより、伸縮度は強化され、緊締度が高く締め付け感が向上し、ずり落ちることが無い。さらに、折り曲げて二重となっているので、着用したとき肌に接する内側の折り曲げ部５３と筒状本体５１の動きが運動などによる体の動きにそれぞれ自由に追従し、マッサージ効果が生じる。
この実施例では捻る角度を９０度としているが、この角度は適宜変化させることができる。
例えば、腹巻、腰のサポータなどのように径の太い場所に装着する筒状伸縮体の場合は、好ましくは捻る角度を７０〜１２０度、さらに好ましくは９０度とする。また、ソックス、腕・足のサポータなどの径の細い場所に装着する筒状伸縮体の場合は、好ましくは１５０〜２００度、さらに好ましくは１８０度とする。
【実施例２】
【００１４】
この実施例は本発明の筒状伸縮体の形成方法を利用したソックスの例を示す。
図５はソックス本体の斜視図、図６は本発明のソックスの斜視図、図７は図６線Ｍ―Ｍからの破断説明図である。
本発明のソックス２００は、かかとを含む足首から爪先までの部分を被覆する足部１０と、足首から少なくともふくらはぎ（以後膝部分という）までを被覆する脚部２５とを有する。シ−ムレス編み機（丸編み機）などの靴下編み機により、足部１０と、足首から上部を形成する脚部２５となる脚部本体２０と折り返し部３０を連続して編成し、筒状のソックス本体１００を形成する。丸編み機は円形の針床で、べら針、ひげ針を用いて編み糸を螺旋状に編んで筒状体を形成する。編成は平編・ゴム編み・パール編み等のメリヤス編みとしている。使用糸は、例えば、ポリウエレタンとナイロン、綿の混同糸とする。
足部１０は先端の爪先部を縫製などの固着手段により閉じて足収容部を形成する。
【００１５】
脚部２５は、所望する脚部本体２０の長さ寸法Ｌ１に連続して、筒形状の折り返し部３０を編成する。脚部本体２０の筒状の長さ寸法をＬ１とすると、折り返し部３０の筒状の長さ寸法をＬ２とする。ここで、長さＬ１＝Ｌ２とし、脚部本体２０と折り返し部３０との境界部を折り返し線２３とする。
そして、折り返し部３０は折り返し線２３より脚部本体２０の内側に折り返して、折り返し部３０の端縁部３１を足部１０と脚部２０との境界部分に伸縮性を有する糸で縫製２１などにより伸縮性を維持させて固着する。これにより脚部２５は脚部本体２０に折り返し分３０が重合した二重構造となる。折り返し線２３までの脚部２５の長さ寸法はＬ１となる。
このとき、折り返し部３０は折り返し線２３を介して捻って折り曲げる。
【００１６】
この捻り構造を図７により説明する。
脚部本体２０の編み目ＯＰＱＲＳ・・とし、Ｌ１＋Ｌ２までの長さ筒形状に編成する。そして、折り返し部３０を１８０度捻って脚部２５を構成する場合を説明する。
折り曲げ部３０を折り曲げ線２３より円周方向に折り曲げ１８０度捻る。例えば、脚部本体２０の編み目Ｏは折り曲げ部３０の編み目として編み目Ｏに対して１８０度の位置にある編み目ｖに合致させて固着する。同様に円周方向に１８０度捻ることにより、編み目Ｐは脚部本体２０の編み目ｗに、編み目Ｑは脚部本体２０の編み目ｘに、編み目Ｒは脚部本体２０の編み目ｙに・・・と順次それぞれ合致させて固着する。
【００１７】
このように折り返し部３０を折り曲げ円周方向に捻る、あるいは円周方向に捻って折り曲げ、脚部に固定して構成されるソックス２００の脚部２５は二重構造となり、かつ、内側の折り返し部３０を形成する編み生地の伸縮方向と、表生地を形成する脚部本体２０の伸縮方向とが捻り分交差する。すなわち、編み生地が二重となっている脚部２５は、表地（脚部本体２０）の伸縮方向Ｘがソックス２００の筒形状の軸線に平行となり、裏生地を形成する折り返し部３０の伸縮方向Ｙは同軸線に交差する方向となる。
【００１８】
このように一枚の生地を折り曲げ円周方向に捻る、あるいは捻って折り重ねることにより重なった部分の伸縮方向が異なり伸縮度が強化され、緊締度が高くずり落ちることが無い。さらに、脚部本体２０は連続して形成した伸縮生地を折り返して二重としているので、歩行時内側の折り返し部３０の動きと表地となる脚部本体２０の動きが、歩行による足の動きにそれぞれ自由に追従し、マッサージ効果が生じる。
このように、本発明のソックス２００は筒形状の脚部に折り曲げ部を連続して形成し、該折り返し部を捻って縫着する構成で、確実な締め付けを有し、ずり落ちの危惧が無いソックスが簡単に形成できる。
なお、この実施例においては捻りを円周方向に１８０度の場合を説明したが、捻り角度は変化させることができる。
【実施例３】
【００１９】
以上説明した実施例においては二重に重なる部分は本体と折り曲げ部の編地（生地）を同一の組成で構成した例を示しているが、本体と折り曲げ部の編地（生地）は異なる組成としてもよい。例えば、本体を透かし編み、模様編みとし、折り曲げ部をゴム編みとする。または本体を伸縮性を有する絞り生地、模様生地とし、折り曲げ部を伸縮性を有する平織り生地とする。さらに、本体と折り曲げ部の色を変化させて重合による色変化の趣向を加味させてもよい。
【図面の簡単な説明】
【００２０】
【図１】本発明に係る筒状伸縮体の斜視図
【図２】本発明に係る折り曲げた筒状伸縮体の斜視図
【図３】折り曲げ部の説明図
【図４】折り返し部の一部を破断した説明図
【図５】本発明に係るソックス本体の斜視図
【図６】本発明に係るソックスの斜視図
【図７】図６線Ｍ―Ｍの破断説明図
【符号の説明】
【００２１】
１０  足部
２０  脚部本体
２５  脚部
３０  折り曲げ部
５０  筒状伸縮体
５１  筒状本体
５３  折り曲げ部
５５  折り曲げ線
１００  ソックス本体
２００  ソックス
【図１】
2006052481.tif 000003
【図２】
2006052481.tif 000004
【図３】
2006052481.tif 000005
【図４】
2006052481.tif 000006
【図５】
2006052481.tif 000007
【図６】
2006052481.tif 000008
【図７】
2006052481.tif 000009